(57)【要約】【課題】レリーズボタンの操作感を損なうことなく、また、ボタン支持部の強度の低下を考慮することなく、ボタン電位を接地電位に降下させることができるデジタルカメラを提供する。【解決手段】デジタルカメラは、カバー１０１に軸方向に移動可能、かつ回転可能に支持されるレリーズボタン１０２と、ボタン１０２を押下方向と逆方向に付勢する圧縮ばね１０３と、ボタン１０２の押下により操作されるスイッチが搭載されるＦＰＣ１０４と、ＦＰＣ１０４をカバー１０１に固定する固定板１０５とを備える。ボタン１０２には、回転した際にカバー１０１に係合してボタン１０２の押下方向と逆方向の移動を規制する係合部１０２Ｃが設けられ、固定板１０５には、ＦＰＣ１０４をカバー１０１に固定した際に、ボタン１０２に当接してボタン１０２の回転を規制する当接部１０５Ｅと、圧縮ばね１０３に対して電気的に接触する当接部１０５Ｆとが設けられる。【選択図】図８
2011164117.tif 000002
【特許請求の範囲】
【請求項１】
カバーと、該カバーに軸方向に移動可能、かつ回転可能に支持される導電性を有するボタン部材と、該ボタン部材と前記カバーとの間に配置され、前記ボタン部材を該ボタン部材の押下方向と逆の方向に付勢するばね部材と、前記ボタン部材の押下により操作されるスイッチが搭載されると共に、グランドに電気的に接続される基板と、該基板に電気的に接続されると共に、前記基板を前記カバーに固定する固定板と、を備え、
前記ボタン部材には、回転した際に前記カバーに係合して前記ボタン部材の押下方向と逆の方向の移動を規制する係合部が設けられ、
前記固定板には、前記基板を前記カバーに固定した際に、前記カバーに前記係合部が係合した状態の前記ボタン部材に当接して該ボタン部材の回転を規制する第１の当接部と、前記ばね部材に対して電気的に接触する第２の当接部と、が設けられることを特徴とする電子機器。
【請求項２】
前記第１の当接部は、前記ボタン部材に対して該ボタン部材の軸方向に線接触することを特徴とする請求項１に記載の電子機器。
【請求項３】
前記ボタン部材は、樹脂部材の表面に導電処理が施されることを特徴とする請求項１又は２に記載の電子機器。
【発明の詳細な説明】
【技術分野】
【０００１】
本発明は、例えばデジタルカメラ等の電子機器に関する。
【背景技術】
【０００２】
従来のデジタルカメラとして、金属メッキ等を施した樹脂製のボタンをボタン支持部及び腕部を介してリアカバー、フロントカバー及び基板のグランドパターンに電気的に接触させることで、ボタンの電位を接地電位に降下させるものが提案されている（特許文献１）。この提案では、ボタンの外周部に沿って配置したボタン支持部によりボタンを片持ち支持しており、ボタン支持部を弾性板で形成することで、ボタンを押下した際の元の位置への復帰力を得るようにしている。
【先行技術文献】
【特許文献】
【０００３】
【特許文献１】特開２００４−８７２２０号公報
【発明の概要】
【発明が解決しようとする課題】
【０００４】
しかし、上記特許文献１では、ボタン支持部がボタンの外周部に沿って配置されてボタンを片持ち支持する構造であるため、ボタンの押下の繰り返しによりボタン支持部の強度が低下しやすく、また、ボタンを軸方向に押下する際の操作感も悪い。
【０００５】
そこで、本発明は、ボタン支持部の強度の低下を考慮することなく、また、ボタン部材を軸方向に押下する際の操作感を損なうことなく、ボタン部材の電位を接地電位に降下させることができる仕組みを提供することを目的とする。
【課題を解決するための手段】
【０００６】
上記目的を達成するために、本発明の電子機器は、カバーと、該カバーに軸方向に移動可能、かつ回転可能に支持される導電性を有するボタン部材と、該ボタン部材と前記カバーとの間に配置され、前記ボタン部材を該ボタン部材の押下方向と逆の方向に付勢するばね部材と、前記ボタン部材の押下により操作されるスイッチが搭載されると共に、グランドに電気的に接続される基板と、該基板に電気的に接続されると共に、前記基板を前記カバーに固定する固定板と、を備え、前記ボタン部材には、回転した際に前記カバーに係合して前記ボタン部材の押下方向と逆の方向の移動を規制する係合部が設けられ、前記固定板には、前記基板を前記カバーに固定した際に、前記カバーに前記係合部が係合した状態の前記ボタン部材に当接して該ボタン部材の回転を規制する第１の当接部と、前記ばね部材に対して電気的に接触する第２の当接部と、が設けられることを特徴とする。
【発明の効果】
【０００７】
本発明によれば、ボタン支持部の強度の低下を考慮することなく、また、ボタン部材を軸方向に押下する際の操作感を損なうことなく、ボタン部材の電位を接地電位に降下させることができる。
【図面の簡単な説明】
【０００８】
【図１】本発明の電子機器の実施形態の一例であるデジタルカメラの要部の分解斜視図である。
【図２】図１を下方から見た分解斜視図である。
【図３】レリーズボタンの外観斜視図である。
【図４】（ａ）はフロントカバーの上面部を外部側から見た図、（ｂ）はフロントカバーの上面部を内部側から見た図である。
【図５】フレキシブルプリント基板をフロントカバーに固定するための固定板の斜視図である。
【図６】フロントカバーの上面部に設けられた凹部へのレリーズボタンの組み付け例を説明するための断面図である。
【図７】フロントカバーの上面部に設けられた凹部へのレリーズボタンの組み付け例を説明するための断面図である。
【図８】フロントカバーの上面部に設けられた凹部へのレリーズボタンの組み付け例を説明するための断面図である。
【発明を実施するための形態】
【０００９】
以下、本発明の実施形態の一例を図面を参照して説明する。
【００１０】
図１は本発明の電子機器の実施形態の一例であるデジタルカメラの要部の分解斜視図、図２は図１を下方から見た分解斜視図である。
【００１１】
本実施形態のデジタルカメラは、図１及び図２に示すように、フロントカバー１０１の上面部に、レリーズボタン１０２が圧縮ばね１０３を介して収納される凹部１０１Ａが形成されている。
【００１２】
レリーズボタン１０２は、樹脂部材の全体に金属メッキ等の導電処理が施されて導電性を有しており、フレキシブルプリント基板（以下「ＦＰＣ］という。）１０４に搭載されたレリーズスイッチ１０４Ａを二段階で押下操作する操作ボタンである。即ち、レリーズボタン１０２の半押操作により測光動作や焦点調節動作等の撮影準備動作が開始され、全押し操作によりＣＣＤ等の撮像素子への露光等の撮影動作が開始される。ここで、レリーズボタン１０２は、本発明のボタン部材の一例に相当する。
【００１３】
圧縮ばね１０３は、フロントカバー１０１とレリーズボタン１０２との間に配置され、フロントカバー１０１とレリーズボタン１０２に常に接触した状態で、押下されたレリーズボタン１０２を押下方向と逆の方向、即ち、元の位置へ復帰させる方向に付勢する。ここで、圧縮ばね１０３は、本発明のばね部材の一例に相当する。
【００１４】
図３は、レリーズボタン１０２の外観斜視図である。図３に示すように、レリーズボタン１０２の裏面中央部には、ＦＰＣ１０４に実装されたレリーズスイッチ１０４Ａを押下操作するための軸部１０２Ａが設けられている。
【００１５】
レリーズボタン１０２の裏面の軸部１０２Ａの周囲には、軸部１０２Ａに沿って延びる断面円弧形状の柱部１０２Ｅ及び柱部１０２Ｅの先端部から径方向外方に延びる係合部１０２Ｃを有する略Ｌ字状の係合腕１０２Ｂが設けられている。
【００１６】
係合腕１０２Ｂは、軸部１０２Ａを中心にして周方向に互いに略１８０°離間して複数箇所（図では２箇所）設けられている。また、レリーズボタン１０２の表面側（外部側）から見て、係合腕１０２Ｂの時計回り方向を向く側部には、Ｒ状の面取り部１０２Ｄが形成されている。
【００１７】
図４（ａ）はフロントカバー１０１の上面部を外部側から見た図、図４（ｂ）はフロントカバー１０１の上面部を内部側から見た図である。
【００１８】
図４に示すように、フロントカバー１０１の上面部に設けられた凹部１０１Ａの中央部には、レリーズボタン１０２の軸部１０２Ａを軸方向に移動可能に、かつ回転可能に支持する支持穴１０１Ｄが形成されている。
【００１９】
凹部１０１Ａの支持穴１０１Ｄの周囲には、圧縮ばね１０３の端部が嵌め込まれる環状の溝部１０１Ｂが設けられており、溝部１０１Ｂには、圧縮ばね１０３の端部の一部を露出させるための開口部１０１Ｃが形成されている。
【００２０】
また、凹部１０１Ａの溝部１０１Ｂの周囲には、係合用の貫通穴１０１Ｅがレリーズボタン１０２の係合腕１０２Ｂに対応して周方向に互いに略１８０°離間して２箇所形成されている。貫通穴１０１Ｅは、円弧状に形成されており、レリーズボタン１０２の係合腕１０２Ｂの先端に配置された係合部１０２Ｃが挿通可能な大きさとされている。
【００２１】
また、貫通穴１０１Ｅの内周側寄りの図４（ａ）の反時計回り方向を向く側（左側）には、反時計回り方向に延びる係合穴１０１Ｆが貫通穴１０１Ｅに連通して形成されている。係合穴１０１Ｆは、貫通穴１０１Ｅより幅狭な円弧状に形成されており、係合腕１０２Ｂの柱部１０２Ｅが挿通可能な大きさとされている。
【００２２】
図５は、ＦＰＣ１０４をフロントカバー１０１に固定するための固定板１０５の斜視図である。
【００２３】
図５に示すように、固定板１０５には、加締め部１０５Ｃが突設されており、加締め部１０５ＣをＦＰＣ１０４に形成された位置決め用の穴１０４Ｂ（図１参照）に挿通して加締めることで、ＦＰＣ１０４に対して固定板１０５が位置決めされる。
【００２４】
位置決めされた状態でのＦＰＣ１０４と固定板１０５との固定は、不図示の両面テープ等を介して行われる。かかる固定状態においては、固定板１０５に形成されたビス挿通穴１０５Ａ及び位置決め穴１０５ＢとＦＰＣ１０４に形成されたビス挿通穴１０４Ｃ及び位置決め穴１０４Ｄ（図１参照）との位置が略一致するようになっている。
【００２５】
また、固定板１０５の幅方向の一側には、ＦＰＣ１０４に形成された切欠き部１０４Ｅ（図１参照）を介してフロントカバー１０１の上面部側に突出する腕部１０５Ｄが切り起こし等により設けられている。
【００２６】
腕部１０５Ｄは、固定板１０５の板厚方向に延びる当接部１０５Ｅ及び当接部１０５Ｅの延出端から固定板１０５の幅方向内方に延びる当接部１０５Ｆを有する。ここで、当接部１０５Ｅは、本発明の第１の当接部の一例に相当し、当接部１０５Ｆは、本発明の第２の当接部の一例に相当する。
【００２７】
そして、固定板１０５の位置決め穴１０５Ｂ及びＦＰＣ１０４の位置決め穴１０４Ｄをフロントカバー１０１の位置決め突起１０１Ｉ（図２参照）に嵌め込むことで固定板１０５及びＦＰＣ１０４がフロントカバー１０１に対して位置決めされる。
【００２８】
この状態で固定板１０５のビス挿通穴１０５Ａ及びＦＰＣ１０４のビス挿通穴１０４Ｃに挿入したビス１０６をフロントカバー１０１のビス穴１０１Ｈ（図２参照）に締結することで、固定板１０５がＦＰＣ１０４と共にフロントカバー１０１に組み付けられる。
【００２９】
次に、図６〜図８を参照して、フロントカバー１０１の上面部に設けられた凹部１０１Ａへのレリーズボタン１０２の組み付け例について説明する。なお、凹部１０１Ａへのレリーズボタン１０２の組み付けは、上述した固定板１０５及びＦＰＣ１０４のフロントカバー１０１への組み付け前に行われる。図６〜図８は、フロントカバー１０１の上面部を凹部１０１Ａの径方向に沿って切断した部分を外部側から見た断面図である。なお、図６及び図７については、便宜上、圧縮ばね１０３の図示は省略している。
【００３０】
まず、図６に示すように、フロントカバー１０１の凹部１０１Ａ内に形成した貫通穴１０１Ｅにレリーズボタン１０２に設けた係合腕１０２Ｂの係合部１０２Ｃを挿入する。このとき、凹部１０１Ａ内に形成した環状の溝部１０１Ｂには、圧縮ばね１０３の端部が嵌め込まれ、また、支持穴１０１Ｄには、レリーズボタン１０２の軸部１０２Ａが挿入される。
【００３１】
この状態でレリーズボタン１０２を図の反時計回り方向に回転させると、図７に示すように、係合腕１０２Ｂの柱部１０２Ｅが貫通穴１０１Ｅより幅狭な係合穴１０１Ｆに挿入されるとともに、係合部１０２Ｃが係合穴１０１Ｆの外周側の壁部の裏面に係合する。
【００３２】
これにより、レリーズボタン１０２の押下方向と逆方向の移動が規制されて抜け止めがなされる。このとき、係合部１０２Ｃは、圧縮ばね１０３の付勢力により係合穴１０１Ｆの外周側の壁部の裏面を押圧した状態で該裏面に係合し、この状態でレリーズボタン１０２を圧縮ばね１０３の付勢力に抗して押下操作することができる。
【００３３】
次に、上述したように、固定板１０５をＦＰＣ１０４とともに、フロントカバー１０１に組み付ける。組付状態においては、図８に示すように、固定板１０５に突設された腕部１０５Ｄの当接部１０５Ｅが、係止腕１０２Ｂの面取り部１０２Ｄに当接し、腕部１０５Ｄの当接部１０５Ｆが、溝部１０１Ｂの開口部１０１Ｃから露出する圧縮ばね１０３の端部に当接する。
【００３４】
このように、腕部１０５Ｄの当接部１０５Ｅが係止腕１０２Ｂの面取り部１０２Ｄに当接することで、レリーズボタン１０２の回転が規制される。また、面取り部１０２ＤはＲ形状をなしていることから、当接部１０５Ｅとの接触が線接触となって摺動抵抗が減り、レリーズボタン１０２を押下操作する際の抵抗を軽減することができる。
【００３５】
また、腕部１０５Ｄの当接部１０５Ｆが圧縮ばね１０３の端部に当接することで、レリーズボタン１０２は、圧縮ばね１０３を介して固定板１０５と電気的に接続される。ここで、固定板１０５は、ビス１０６及びＦＰＣ１０４のビス挿通穴１０４Ｃを介してＦＰＣ１０４Ｃに電気的に接続され、ＦＰＣ１０４は、グランドパターンが配線された不図示のメイン配線基板に電気的に接続される。
【００３６】
以上説明したように、本実施形態では、レリーズボタン１０２の軸方向の抜け止め及び回転規制をした状態で、レリーズボタン１０２の軸部１０２Ａが凹部１０１Ａ内に形成した支持穴１０１Ｄにより軸方向に移動可能に支持されている。また、レリーズボタン１０２の軸部１０２Ａの外周側に配置された圧縮ばね１０３により、レリーズボタン１０２を押下操作した際の元の位置への復帰力を得るようにしている。これにより、従来のようなボタン支持部の強度の低下を考慮することなく、また、操作感を損なうことなく、レリーズボタン１０２を軸方向に押下操作することができる。
【００３７】
また、本実施形態では、レリーズボタン１０２は、圧縮ばね１０３を介して固定板１０５、ビス１０６及びＦＰＣ１０４のビス挿通穴１０４Ｃ、ＦＰＣ１０４Ｃを介してグランドパターンが配線された不図示のメイン配線基板に電気的に接続される。これにより、レリーズボタン１０２の電位を接地電位に降下させることができ、静電気等による影響を回避することができる。
【００３８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３９】
１０１    フロントカバー
１０２    レリーズボタン
１０２Ｃ  係合部
１０３    圧縮ばね
１０４    ＦＰＣ
１０５    固定板
１０５Ｅ  当接部
１０５Ｆ  当接部
【図１】
2011164117.tif 000003
【図２】
2011164117.tif 000004
【図３】
2011164117.tif 000005
【図４】
2011164117.tif 000006
【図５】
2011164117.tif 000007
【図６】
2011164117.tif 000008
【図７】
2011164117.tif 000009
【図８】
2011164117.tif 000010